(57)【要約】      （修正有）【課題】係合部と係合溝とが係合し易く、離脱し難いボックスの組合せ装置を提供する。【解決手段】ボックスの組合せ装置は、弾力性ありの軟性の素材からなり、カバー１１と、本体と、少なくとも一つの係合部１と、少なくとも一つの係合溝２とを有し、カバー１１が本体を覆うことにより、ボックスになり、係合部１が係合溝２の収容チェンバー２０に収納され、係合溝２による係合保持の幅が係合部１による係合接触の幅より小さいか又は等しいことにより、カバー１１と本体を組み合わせる。【選択図】図５
0003235185.tif 000002
【実用新案登録請求の範囲】
【請求項１】
弾力性ありの軟性の素材からなり、カバーと、本体と、少なくとも一つの係合部と、少なくとも一つの係合溝とを含み、
前記係合部の組合位置は、前記カバーと前記本体の開口縁部の少なくとも一つに選ばれ、
前記係合部に複数の接触面が形成され、二つの接触面同士毎の間に前記係合部の外部が係合可能の二つの接触点を有することにより、前記係合部による接触の係合幅が形成され、
前記係合溝の組合位置は、前記カバーと前記本体の開口縁部の少なくとも一つに選ばれ、前記係合溝の開口は、連接される二つの開口平面によって形成され、二つの開口平面の間に前記係合溝が係合可能の二つの接触点を有することにより、前記係合溝による接触の係合幅が形成され、
前記係合部が前記係合溝の収納チェンバーに係合して収容され、
前記係合溝の係合接触幅は、前記係合部の係合接触幅より小さい又は等しいことにより、前記カバーと前記本体を固定させ、
前記係合部は、前記係合部の上表面に位置される第１の接触面と、前記第１の接触面に連接される第４の接触面とを有し、前記第４の接触面の一端が前記ボックスの開口に隣接され、前記第１の接触面が前記第４の接触面の位置に連接されることにより、係合接触の第３の接触点と第４の接触点が形成され、前記第１の接触面の他端一側に係合接触の第１の接触点と第２の接触点が形成され、前記第４の接触面の他端一側に係合接触の第６の接触点と第７の接触点が形成され、前記第３の接触面に第５の接触点と前記第３の接触点が対角に設けられ、前記第２の接触面に第８の接触点と前記第４の接触点が対角に設けられ、前記係合部は、複数の傾斜面を有する立方体であり、前記第３の接触点と前記第４の接触点の間の距離は、前記第１の接触点と前記第２の接触点の間の距離より大きいか又は等しく、前記第３の接触点と前記第４の接触点の間の距離は、前記第６の接触点と前記第７の接触点の間の距離より大きいか又は等しく、前記第１の接触点と前記第２の接触点の間の距離は、前記第５の接触点と前記第８の接触点の間の距離より大きいか又は等しく、前記第６の接触点と前記第７の接触点の間の距離は、前記第５の接触点と前記第８の接触点の間の距離より大きいか又は等しく、前記第３の接触点と前記第４の接触点の間の距離は、前記第５の接触点と前記第８の接触点の間の距離より大きいか又は等しく、
前記係合溝における二つの開口平面の間には、前記係合溝に係合接触される第９の接触点と第１０の接触点が設けられ、前記係合溝における二つの開口面によって溝口が形成され、前記係合溝における二つの開口平面が拡大してから縮小することによって溝口が形成することにより、保持の弾性力を発生し、その一つの開口平面の他端には、第１１の接触点と第１２の接触点が設けられ、他の開口平面の他端には、第１３の接触点と第１４の接触点が設けられ、前記第９の接触点と前記第１０の接触点に対する収容チェンバー内の対角は、第１５の接触点と第１６の接触点であることを特徴とするボックスの組合せ装置。
【請求項２】
前記第１３の接触点と前記第１４の接触点の間の距離は、前記第６の接触点と前記第７の接触点との距離より小さいか又は等しく、
前記第９の接触点と前記第１０の接触点の間の距離は、前記第５の接触点と前記第８の接触点との距離より小さいか又は等しいことにより、第１４の接触点と第１０の接触点との接触延伸面が形成して前記第３の接触面の内側に係合接触とし、及び第１３の接触点と第９の接触点との接触延伸面が形成して第２の接触面の内側に係合接触とする構造になり、
前記第１０の接触点と前記第９の接触点の間の距離は、前記第５の接触点と前記第８の接触点の間の距離より小さいか又は等しく、前記第１１の接触点と前記第１２の接触点の間の距離は、前記第１の接触点と前記第２の接触点の間の距離より小さいか又は等しいことにより、第１１の接触点と第１０の接触点との接触延伸面が形成して前記第３の接触面の内側に係合接触とし、及び第１２の接触点と第９の接触点との接触延伸面が形成して前記第２の接触面の内側に係合接触とする構造になり、
前記係合溝が摺動状態で前記係合部に係合する時、前記溝口の開口によって保持されて前記係合部を係合し、前記係合溝の開口平面が拡大し、
前記係合溝の前記第９の接触点と前記第１０の接触点の間の距離は、前記係合部の前記第３の接触点と前記第４の接触点の間の距離より大きいか又は等しく、前記係合溝の前記第９の接触点と前記第１０の接触点の間の距離は、前記係合部の前記第１の接触点と前記第２の接触点の間の距離より大きいか又は等しく、前記係合溝の前記第９の接触点と前記第１０の接触点の間の距離は、前記係合部の前記第６の接触点と前記第７の接触点の間の距離より大きいか又は等しく、前記係合溝の前記第９の接触点と前記第１０の接触点の間の距離は、前記係合部の前記第５の接触点と前記第８の接触点の間の距離より大きいか又は等しいことにより、前記係合溝が前記係合部を係り合って保持することを特徴とする請求項１に記載のボックスの組合せ装置。
【請求項３】
前記係合部は、前記第１の接触面に位置される突出部を有し、前記係合溝は、位置決め溝を有し、前記位置決め溝は、対応の前記突出部の係合位置に位置され、前記突出部と前記位置決め溝との係合により、前記係合溝と前記係合部を組み合わせることができ、前記係合部は、係合プレートに設けられ、湾曲部によって連接される前記係合プレートの設置位置は、前記カバーと前記本体の開口縁部の少なくとも一つに選ばれることを特徴とする請求項１に記載のボックスの組合せ装置。
【考案の詳細な説明】
【技術分野】
【０００１】
本考案は、組合せ装置に関する技術分野に属するものであり、特にボックスの組合せ装置に関するものである。
【背景技術】
【０００２】
従来では、食物を収容するために、互いに貼り合わせることができるボックスがよく使用されている。
【考案の概要】
【考案が解決しようとする課題】
【０００３】
従来技術のボックスでは、そのカバーとその本体における開口縁部が緊密に貼り合わせることができず、ボックスに収容される食物が外部に漏り出してしまう恐れがある。また、従来技術のボックスでは、その使用されるロック部材を互いに係り合わせず、構造上では離脱しやすいため、ボックスのカバーと本体は、互いに貼り合うことを維持し難くなってしまう。
【０００４】
本考案の目的は、前記従来技術の欠点を解決するために、ボックスの組合せ装置を提供するものである。
【課題を解決するための手段】
【０００５】
本考案に係わるボックスの組合せ装置は、弾力性ありの軟性の素材からなり、カバーと、本体と、少なくとも一つの係合部と、少なくとも一つの係合溝とを含み、前記係合部の組合位置は、前記カバーと前記本体の開口縁部の少なくとも一つに選ばれ、前記係合部に複数の接触面が形成され、二つの接触面同士毎の間に前記係合部の外部が係合可能の二つの接触点を有することにより、前記係合部による接触の係合幅が形成され、前記係合溝の組合位置は、前記カバーと前記本体の開口縁部の少なくとも一つに選ばれ、前記係合溝の開口は、連接される二つの開口平面によって形成され、二つの開口平面の間に前記係合溝が係合可能の二つの接触点を有することにより、前記係合溝による接触の係合幅が形成され、前記係合部が前記係合溝の収納チェンバーに係合して収容され、前記係合溝の係合接触幅は、前記係合部の係合接触幅より小さい又は等しいことにより、前記カバーと前記本体を固定させる。
【０００６】
本考案に係わる実施例では、ボックスの組合せ装置を提供し、前記係合部は、前記係合部の上表面に位置される第１の接触面と、前記第１の接触面に連接される第４の接触面とを有し、前記第４の接触面の一端が前記ボックスの開口に隣接され、前記第１の接触面が前記第４の接触面の位置に連接されることにより、係合接触の第３の接触点と第４の接触点が形成され、前記第１の接触面の他端一側に係合接触の第１の接触点と第２の接触点が形成され、前記第４の接触面の他端一側に係合接触の第６の接触点と第７の接触点が形成され、前記第３の接触面に第５の接触点と前記第３の接触点が対角に設けられ、前記第２の接触面に第８の接触点と前記第４の接触点が対角に設けられ、第２の接触面が前記第１の接触面と前記第４の接触面にそれぞれ連接され、第３の接触面が前記第１の接触面と前記第４の接触面にそれぞれ連接され、前記係合部は、複数の傾斜面を有する立方体であり、前記第３の接触点と前記第４の接触点の間の距離は、前記第１の接触点と前記第２の接触点の間の距離より大きいか又は等しく、前記第３の接触点と前記第４の接触点の間の距離は、前記第６の接触点と前記第７の接触点の間の距離より大きいか又は等しく、前記第１の接触点と前記第２の接触点の間の距離は、前記第５の接触点と前記第８の接触点の間の距離より大きいか又は等しく、前記第６の接触点と前記第７の接触点の間の距離は、前記第５の接触点と前記第８の接触点の間の距離より大きいか又は等しく、前記第３の接触点と前記第４の接触点の間の距離は、前記第５の接触点と前記第８の接触点の間の距離より大きいか又は等しい。
【０００７】
本考案に係わる実施例では、ボックスの組合せ装置を提供し、前記係合溝における二つの開口平面の間には、前記係合溝に係合接触される第９の接触点と第１０の接触点が設けられ、前記係合溝における二つの開口面によって溝口が形成され、前記係合溝における二つの開口平面が拡大してから縮小することによって溝口が形成することにより、保持の弾性力を発生し、その一つの開口平面の他端には、第１１の接触点と第１２の接触点が設けられ、他の開口平面の他端には、第１３の接触点と第１４の接触点が設けられ、前記第９の接触点と前記第１０の接触点に対する収容チェンバー内の対角は、第１５の接触点と第１６の接触点である。
【０００８】
本考案の技術手段によれば、４種類の係合接触構造を提供することができる。第１種類の構造は、係合部の突出部と係合溝の位置決め溝との係合構造である。
【０００９】
第２種類の構造は、第１０の接触点と第１４の接触点との接触延伸面が形成して第３の接触面の内側に係合接触とし、及び第９の接触点と第１３の接触点との接触延伸面が形成して第２の接触面の内側に係合接触とする構造である。
【００１０】
第３種類の構造は、第１０の接触点（２０２）と第１１の接触点（２０３）との接触延伸面が形成して第３の接触面（２５８）の内側に係合接触とし、及び第９の接触点（２０１）と第１２の接触点との接触延伸面が形成して第２の接触面（２５７）の内側に係合接触とする構造である。
【００１１】
第４種類の構造は、前記係合溝が摺動状態で前記係合部に係合する時、軟性の弾力性素材から構成する構造である。
【００１２】
係合過程において、弾性拡大してから縮小する弾性力によって、元の距離に戻すことができ、前記係合溝の前記第９の接触点（２０１）と前記第１０の接触点（２０２）の間の距離は、前記係合部の前記第３の接触点（１０３）と前記第４の接触点（１０４）の間の距離より小さいか又は等しく、前記係合溝の前記第９の接触点（２０１）と前記第１０の接触点（２０２）の間の距離は、前記係合部の前記第１の接触点（１０１）と前記第２の接触点（１０２）の間の距離より小さいか又は等しく、前記係合溝の前記第９の接触点（２０１）と前記第１０の接触点（２０２）の間の距離は、前記係合部の前記第６の接触点（１０６）と前記第７の接触点（１０７）の間の距離より小さいか又は等しく、前記係合溝の前記第９の接触点（２０１）と前記第１０の接触点（２０２）の間の距離は、前記係合部の前記第５の接触点（１０５）と前記第８の接触点（１０８）の間の距離より小さいか又は等しく、弾性力ありの軟性の素材を使用して構成される。
【００１３】
係合過程において、弾性拡大してから縮小する弾性力によって、元の距離に戻すことができ、前記係合溝の前記第９の接触点（２０１）と前記第１０の接触点（２０２）の距離は、前記係合部の前記第３の接触点（１０３）と前記第４の接触点（１０４）の間の距離より大きいか又は等しく、前記係合溝の前記第９の接触点（２０１）と前記第１０の接触点（２０２）の間の距離は、前記係合部の前記第１の接触点（１０１）と前記第２の接触点（１０２）の間の距離より大きいか又は等しく、前記係合溝の前記第９の接触点（２０１）と前記第１０の接触点（２０２）の間の距離は、前記係合部の前記第６の接触点（１０６）と前記第７の接触点（１０７）の間の距離より大きいか又は等しく、前記係合溝の前記第９の接触点（２０１）と前記第１０の接触点（２０２）の間の距離は、前記係合部の前記第５の接触点（１０５）と前記第８の接触点（１０８）の間の距離より大きいか又は等しい。
【００１４】
摺動状態で前記係合部を係合する時、第４種類の構造は、前記係合部に設けられる傾斜面を有する立方体によって保持される。第４種類の構造における前記係合部は、下記の特徴があると共に、傾斜面を有する立方体であり、前記係合部の前記第３の接触点（１０３）と前記第４の接触点（１０４）の間の距離は、前記第１の接触点（１０１）と前記第２の接触点（１０２）の距離より大きいか又は等しく、前記第３の接触点（１０３）と前記第４の接触点（１０４）の間の距離は、前記第６の接触点（１０６）と前記第７の接触点（１０７）の距離より大きいか又は等しく、前記第１の接触点（１０１）と前記第２の接触点（１０２）の間の距離は、前記第５の接触点（１０５）と前記第８の接触点（１０８）の距離より大きいか又は等しく、前記第６の接触点（１０６）と前記第７の接触点（１０７）の間の距離は、前記第５の接触点（１０５）と前記第８の接触点（１０８）の距離より大きいか又は等しく、前記第３の接触点（１０３）と前記第４の接触点（１０４）の間の距離は、前記第５の接触点（１０５）と前記第８の接触点（１０８）の距離より大きいか又は等しい。
【考案の効果】
【００１５】
従って、本考案の技術特徴によれば、弾性力のある軟性の素材からなるため、係合過程において、拡大してから縮小の弾力回復性を有する。前記第１種類ないし第４種類の構造によれば、従来のボックスにおける係合部と係合溝との係り合い難いと離脱しやすいという問題を解決できる。
【図面の簡単な説明】
【００１６】
【図１】本考案に係わるボックスの組合せ装置を示す概略斜視図である。
【図２】本考案に係わるボックスの組合せ装置における係合溝と係合部を示す斜視図である。
【図３】本考案に係わるボックスの組合せ装置における係合溝と係合部を示す平面図である。
【図４】本考案に係わるボックスの組合せ装置における係合溝と係合部の組合後状態を示す斜視図である。
【図５】本考案に係わるボックスの組合せ装置における係合溝と係合部の組合前状態を示す斜視図である。
【図６Ａ】本考案に係わるボックスの組合せ装置における係合溝と係合部の実施例を示す断面図である。
【図７Ａ】本考案に係わるボックスの組合せ装置における係合部の実施例を示す概略図である。
【図７Ｂ】本考案に係わるボックスの組合せ装置における係合部の実施例を示す概略図である。
【図７Ｃ】本考案に係わるボックスの組合せ装置における係合部の実施例を示す概略図である。
【図７Ｄ】本考案に係わるボックスの組合せ装置における係合部の実施例を示す概略図である。
【図８Ａ】本考案に係わるボックスの組合せ装置における係合溝の実施例を示す概略図である。
【図８Ｂ】本考案に係わるボックスの組合せ装置における係合溝の実施例を示す概略図である。
【図８Ｃ】本考案に係わるボックスの組合せ装置における係合溝の実施例を示す概略図である。
【図８Ｄ】本考案に係わるボックスの組合せ装置における係合溝の実施例を示す概略図である。
【図８Ｅ】本考案に係わるボックスの組合せ装置における係合溝の実施例を示す概略図である。
【図８Ｆ】本考案に係わるボックスの組合せ装置における係合溝の実施例を示す概略図である。
【考案を実施するための形態】
【００１７】
本考案の目的、形状、構成の特徴とその効果をよく理解させるために、図面と合わせて具体の実施例について、以下のように詳細に説明する。
【００１８】
図１ないし図５に示すように、本考案にかかわるボックスの組合せ装置は、弾力性ありの軟性の素材なら構成され、カバー（１１）と、本体と、少なくとも一つの係合部（１）と、少なくとも一つの係合溝（２）とを含む。前記カバー（１１）が前記本体に覆われることにより、前記ボックスを形成する。前記係合部（１）の組合位置は、前記カバー（１１）と前記本体の開口縁部の少なくとも一つに選ばれ、前記係合部（１）に複数の接触面が形成され、二つの接触面同士毎の間に前記係合部（１）の外部が係合可能の二つの接触点を有することにより、前記係合部（１）による接触の係合幅が形成され、前記係合溝（２）の組合位置は、前記カバー（１１）と前記本体の開口縁部の少なくとも一つに選ばれ、前記係合溝（２）の開口は、連接される二つの開口平面によって形成され、二つの開口平面の間に前記係合溝（２）が係合可能の二つの接触点を有することにより、前記係合溝（２）による接触の係合幅が形成され、前記係合部（１）が前記係合溝（２）の収納チェンバー（２０）に係合して収容され、前記係合溝（２）の係合接触幅は、前記係合部（１）の係合接触幅より小さい又は等しいことにより、前記カバー（１１）と前記本体を固定させる。前記カバー（１１）または前記本体の開口縁部は、窪み状の縁部（１１１）であってもよく、突出状の縁部（１１４）であってもよく、又は、延伸部（１１３、１１５）であってもよい。
【００１９】
図８Ａないし図８Ｆに示すように、本考案にかかわるボックスの組合せ装置について、その係合部（１）は、前記係合部（１）の上表面に位置される第１の接触面（２５１）と、前記第１の接触面（２５１）に連接される第４の接触面（２５９）とを有し、前記第４の接触面（２５９）の一端が前記ボックスの開口に隣接され、前記第１の接触面（２５１）が前記第４の接触面（２５９）の位置に連接されることにより、係合接触の第３の接触点（１０３）と第４の接触点（１０４）が形成され、前記第１の接触面（２５１）の他端に係合接触の第１の接触点（１０１）と第２の接触点（１０２）が形成され、前記第１の接触面（２５１）の他端に係合接触の第６の接触点（１０６）と第７の接触点（１０７）が形成され、第１の接触面（２５７）が前記第１の接触面（２５１）と前記第４の接触面（２５９）にそれぞれ連接され、第３の接触面（２５８）が前記第１の接触面（２５１）と前記第４の接触面（２５９）にそれぞれ連接され、前記係合部（１）は、複数の傾斜面を有する立方体であり、前記第３の接触点（１０３）と前記第４の接触点（１０４）の間の距離は、前記第１の接触点（１０１）と前記第２の接触点（１０２）の間の距離より大きいか又は等しく、前記第３の接触点（１０３）と前記第４の接触点（１０４）の間の距離は、前記第６の接触点（１０６）と前記第７の接触点（１０７）の間の距離より大きいか又は等しく、前記第１の接触点（１０１）と前記第２の接触点（１０２）の間の距離は、前記第５の接触点（１０５）と前記第８の接触点（１０８）の間の距離より大きいか又は等しく、前記第６の接触点（１０６）と前記第７の接触点（１０７）の間の距離は、前記第５の接触点（１０５）と前記第８の接触点（１０８）の間の距離より大きいか又は等しく、前記第３の接触点（１０３）と前記第４の接触点（１０４）の間の距離は、前記第５の接触点（１０５）と前記第８の接触点（１０８）の間の距離より大きいか又は等しい。
【００２０】
図１ないし図５、図８Ａないし図８Ｄ及び図７Ａないし図７Ｄに示すように、第４種類の構造は、前記係合溝が摺動状態で前記係合部に係合する時、前記溝口（２４）の開口によって保持されて前記係合部（１）を係合し、前記係合溝（２）の開口平面が拡大し、前記係合溝の前記第９の接触点（２０１）と前記第１０の接触点（２０２）の間の距離は、前記係合部の前記第３の接触点（１０３）と前記第４の接触点（１０４）の間の距離より大きいか又は等しく、前記係合溝の前記第９の接触点（２０１）と前記第１０の接触点（２０２）の間の距離は、前記係合部の前記第１の接触点（１０１）と前記第２の接触点（１０２）の間の距離より大きいか又は等しく、前記係合溝の前記第９の接触点（２０１）と前記第１０の接触点（２０２）の間の距離は、前記係合部の前記第６の接触点（１０６）と前記第７の接触点（１０７）の間の距離より大きいか又は等しく、前記係合溝の前記第９の接触点（２０１）と前記第１０の接触点（２０２）の間の距離は、前記係合部の前記第５の接触点（１０５）と前記第８の接触点（１０８）の間の距離より大きいか又は等しい。摺動状態で前記係合部を係合する時、第４種類の構造が前記係合部の前記構成によって保持されるので、本考案の技術手段により、互いに係り合いやすく、構造上でも離脱しにくいという具体的な効果と目的を達成することができる。
【００２１】
図１ないし図５、及び図７Ａないし図７Ｄに示すように、本考案にかかわるボックスの組合せ装置の実施例について、前記係合溝における二つの開口面によって溝口が形成され、前記係合溝における二つの開口平面が拡大してから縮小することによって溝口が形成することにより、保持の弾性力を発生し、前記係合溝（２）における二つの開口平面の間には、前記係合溝（２）に係合接触される第９の接触点（２０１）と第１０の接触点（２０２）が設けられ、その一つの開口平面の他端には、第１１の接触点（２０３）と第１２の接触点（２０４）が設けられ、他の開口平面の他端には、第１３の接触点（３０１）と第１４の接触点（３０２）が設けられ、前記第９の接触点（２０１）と前記第１０の接触点（２０２）に対する収容チェンバー（２０）内の対角は、第１５の接触点（３０３）と第１６の接触点（３０４）である。
【００２２】
図１ないし図８Ｆに示すように、本考案にかかわるボックスの組合せ装置の実施例について、第２種類の構造は、第１０の接触点（２０２）と第１４の接触点（３０２）との接触延伸面が形成して前記第３の接触面（２５８）の内側に係合接触とし、及び第９の接触点（２０１）と第１３の接触点（３０１）との接触延伸面が形成して第２の接触面（２５７）の内側に係合接触とする構造である。前記第１３の接触点（３０１）と前記第１４の接触点（３０２）の間の距離は、前記第６の接触点（１０６）と前記第７の接触点（１０７）との距離より小さいか又は等しく、前記第９の接触点（２０１）と前記第１０の接触点（２０２）の間の距離は、前記第５の接触点（１０５）と前記第８の接触点（１０８）との距離より小さいか又は等しいことにより、第１４の接触点（３０２）と第１０の接触点（２０２）との接触延伸面が形成して前記第３の接触面（２５８）の内側に係合接触とし、及び第１３の接触点（３０１）と第９の接触点（２０１）との接触延伸面が形成して第２の接触面（２５７）の内側に係合接触とする構造になる。図１ないし図８に示すように、第１の幅（Ｗ１）、第２の幅（Ｗ２１）、第３の幅（Ｗ３）、第４の幅（Ｗ４）、第５の幅（Ｗ５）、第６の幅（Ｗ６）、第７の幅（Ｗ７）、及び第８の幅（Ｗ８）は、対応の接触点の間の距離である。図８Ａにおいて、第２の幅（Ｗ１）は、第１の幅（Ｗ１）より大きい。図８Ｂにおいて、第２の幅（Ｗ２）は、第３の幅（Ｗ３）より大きい。図８Ｄにおいて、第２の幅（Ｗ１）は、第１の幅（Ｗ１）より大きい。図８Ｅにおいて、第２の幅（Ｗ２）は、第３の幅（Ｗ３）より大きい。図８Ｆにおいて、第２の幅（Ｗ１）は、第１の幅（Ｗ１）より大きい、且つ、第２の幅（Ｗ２）は、第３の幅（Ｗ３）より大きい。
【００２３】
図１ないし図８Ｆに示すように、本考案にかかわるボックスの組合せ装置の実施例について、第３種類の構造は、第１０の接触点（２０２）と第１１の接触点（２０３）との接触延伸面が形成して第３の接触面（２５８）の内側に係合接触とし、及び第９の接触点（２０１）と第１２の接触点（２０４）との接触延伸面が形成して第２の接触面（２５７）の内側に係合接触とする構造である。前記第１０の接触点（２０２）と前記第９の接触点（２０１）の間の距離は、前記第５の接触点（１０５）と前記第８の接触点（１０８）の間の距離より小さいか又は等しく、前記第１１の接触点（２０３）と前記第１２の接触点（２０４）の間の距離は、前記第１の接触点（１０１）と前記第２の接触点（１０２）の間の距離より小さいか又は等しいことにより、第１１の接触点（２０３）と第１０の接触点（２０２）との接触延伸面が形成して前記第３の接触面（２５８）の内側に係合接触とし、及び第１２の接触点（２０４）と第９の接触点（２０１）との接触延伸面が形成して前記第１の接触面（２５７）の内側に係合接触とする構造になる。第５の接触面（２０７）、第６の接触面（２０８）及び第７の接触面（２０９）は、弾力延伸によって前記係合部（１）を保持する。
【００２４】
図１ないし図８に示すように、本考案にかかわるボックスの組合せ装置の実施例について、前記係合部（１）は、前記第１の接触面（２５１）に位置される突出部（１１２）を有し、前記係合溝（２）は、位置決め溝（２１２）を有し、前記位置決め溝（２１２）は、対応の前記突出部（１１２）の係合位置に位置され、前記突出部（１１２）と前記位置決め溝（２１２）との係合により、前記係合溝（２）と前記係合部（１）を組み合わせることができ、前記係合部（１）は、係合プレート（２２）に設けられ、湾曲部（２１）によって連接される前記係合プレート（２２）の設置位置は、前記カバー（１１）と前記本体の開口縁部の少なくとも一つに選ばれる。
【００２５】
本考案に係わるボックスの組合せ装置の実施例について、弾力性ありの軟性の素材は、紙素材、プラスチック及びリサイクル樹脂の少なくとも一つから選ばれるものである。
【００２６】
図７Ａないし図７Ｄに示すように、本考案に係わるボックスの組合せ装置の実施例について、前記係合溝（２）の開口形状は、Ｃ字形、Ｖ字形、Ｕ字形及び三角形の少なくとも一つから選ばれるものであるが、この限りではなく、上述のように前記係合溝による係合保持の幅が前記係合部による係合接触の幅より小さいか又は等しい範囲であれば、その組合構造は、本考案と同一の効果を達成できる範囲である。
【００２７】
図７Ａないし図７Ｄ、図８Ａないし図８Ｆに示すように、前記係合溝（２）の開口形状について、前記第９の接触点（２０１）と前記第１０の接触点（２０２）による係合開口形状は、矩形、三角形、円弧形及び台形の少なくとも一つから選ばれるものである。前記収納チェンバー（２０）の内側において、前記第１１の接触点（２０３）、前記第１２の接触点（２０４）、第１３の接触点（３０１）、第１４の接触点（３０２）、第１５の接触点（３０３）及び第１６の接触点（３０４）は、三角形、円弧形及び台形の少なくとも一つから選ばれるものであり、前記第１の接触面、前記第２の接触面、前記第３の接触面及び前記第４の接触面の間の連結構造は、三角形及び円弧形の少なくともひとつから選ばれるものであるが、この限りではなく、上述のように前記係合溝による係合保持の幅が前記係合部による係合接触の幅より小さいか又は等しい範囲であれば、その組合構造は、本考案と同一の効果を達成できる範囲である。
【００２８】
上述の説明は、本考案の好適な実施例に対する具体的な説明であるが、これらの実施例は本考案における実用新案請求の範囲を限定するものではなく、本考案の要旨に基づいてこれらの実施例の効果と等しい変形や変更して本考案を完成することができ、これらの変形や変更が本考案における実用新案請求の範囲に含まれるべきである。
【符号の説明】
【００２９】
１      係合部
２      係合溝
２０    収納チェンバー
２１    湾曲部
２２’  係合プレート
２４’  溝口
１０１  第１の接触点
１０２  第２の接触点
１０３  第３の接触点
１０４  第４の接触点
１０５  第５の接触点
１０６  第６の接触点
１０７  第７の接触点
１０８  第８の接触点
１１’  カバー
１２’  本体
１１１  縁部
１１２  突出部
１１３  延伸部
１１４  縁部
１１５  延伸部
２０１  第９の接触点
２０２  第１０の接触点
２０３  第１１の接触点
２０４  第１２の接触点
３０１  第１３の接触点
３０２  第１４の接触点
３０３  第１５の接触点
３０４  第１６の接触点
２０７  第５の接触面
２０８  第６の接触面
２０９  第７の接触面
２５１  第１の接触面
２５７  第２の接触面
２５８  第３の接触面
２５９  第４の接触面
２１２  位置決め溝
Ｗ１’  第１の幅
Ｗ２’  第２の幅
Ｗ３’  第３の幅
Ｗ４’  第４の幅
Ｗ５’  第５の幅
Ｗ６’  第６の幅
Ｗ７’  第７の幅
Ｗ８’  第８の幅
【図１】
0003235185.tif 000003
【図２】
0003235185.tif 000004
【図３】
0003235185.tif 000005
【図４】
0003235185.tif 000006
【図５】
0003235185.tif 000007
【図６Ａ】
0003235185.tif 000008
【図７Ａ】
0003235185.tif 000009
【図７Ｂ】
0003235185.tif 000010
【図７Ｃ】
0003235185.tif 000011
【図７Ｄ】
0003235185.tif 000012
【図８Ａ】
0003235185.tif 000013
【図８Ｂ】
0003235185.tif 000014
【図８Ｃ】
0003235185.tif 000015
【図８Ｄ】
0003235185.tif 000016
【図８Ｅ】
0003235185.tif 000017
【図８Ｆ】
0003235185.tif 000018